(57)【要約】  本開示は、メチルパーフルオロヘプテンエーテルとメタノールとを含む共沸および共沸様組成物を提供する。本開示はまた、共沸および共沸様組成物の使用方法も提供する。【特許請求の範囲】
【請求項１】
メチルパーフルオロヘプテンエーテルとメタノールとを含む共沸または共沸様組成物。
【請求項２】
メチルパーフルオロヘプテンエーテルと有効量のメタノールとを含む請求項１に記載の組成物。
【請求項３】
約９．２モルパーセント〜約２３．６モルパーセントのメチルパーフルオロヘプテンエーテルとメタノールとを含む請求項１に記載の組成物。
【請求項４】
約９．２モルパーセント〜２３．６モルパーセントのメチルパーフルオロヘプテンエーテルとメタノールとを含み、約０℃〜約１９０℃の温度で、約０．６４ｐｓｉａ〜約４９５ｐｓｉａの蒸気圧を有する請求項１に記載の組成物。
【請求項５】
前記組成物が、約９．２モルパーセント〜２３．６モルパーセントのメチルパーフルオロヘプテンエーテルとメタノールとから実質的になり、約０℃〜約１９０℃の温度で、約０．６４ｐｓｉａ〜約４９５ｐｓｉａの蒸気圧を有する請求項１に記載の組成物。
【請求項６】
約０．２モルパーセント〜約６５．１モルパーセントのメチルパーフルオロヘプテンエーテルとメタノールとを含む請求項１に記載の共沸様組成物。
【請求項７】
約０．１モルパーセント〜２６．８モルパーセントのメチルパーフルオロヘプテンエーテルとメタノールとを含み、約０℃〜約１８０℃の温度で、約０．６４ｐｓｉａ〜約４１４ｐｓｉａの蒸気圧を有する請求項１に記載の共沸様組成物。
【請求項８】
約６．１モルパーセント〜２６．８モルパーセントのメチルパーフルオロヘプテンエーテルとメタノールとを含み、約０℃〜約１８０℃の温度で、約０．６４ｐｓｉａ〜約４１４ｐｓｉａの蒸気圧を有する請求項１に記載の組成物。
【請求項９】
前記組成物が、約０．２モルパーセント〜６５．１モルパーセントのメチルパーフルオロヘプテンエーテルとメタノールとから実質的になる請求項１に記載の共沸様組成物。
【請求項１０】
前記組成物が、約０．１モルパーセント〜２６．８モルパーセントのメチルパーフルオロヘプテンエーテルとメタノールとから実質的になり、約０℃〜約１８０℃の温度で、約０．６４ｐｓｉａ〜約４１４ｐｓｉａの蒸気圧を有する請求項１に記載の共沸様組成物。
【請求項１１】
前記組成物が、約６．１モルパーセント〜２６．８モルパーセントのメチルパーフルオロヘプテンエーテルとメタノールとから実質的になり、約０℃〜約１８０℃の温度で、約０．６４ｐｓｉａ〜約４１４ｐｓｉａの蒸気圧を有する請求項１に記載の組成物。
【請求項１２】
泡立ち点圧力を基準として３％以下である露点と泡立ち点圧力の差を有する請求項１に記載の組成物。
【請求項１３】
物品の表面から残渣を除去する方法であって、
ａ．前記表面を、メチルパーフルオロヘプテンエーテルとメタノールの共沸または共沸様組成物を含む組成物と接触させる工程と、
ｂ．前記表面を前記組成物からリカバーする工程と
を含む方法。
【請求項１４】
前記組成物が、噴射剤をさらに含む請求項１３に記載の方法。
【請求項１５】
前記噴射剤が、空気、窒素、二酸化炭素、２，３，３，３−テトラフルオロプロペン、トランス−１，３，３，３−テトラフルオロプロペン、１，２，３，３，３−ペンタフルオロプロペン、ジフルオロメタン、トリフルオロメタン、ジフルオロエタン、トリフルオロエタン、テトラフルオロエタン、ペンタフルオロエタン、炭化水素、もしくはジメチルエーテル、またはこれらの組み合わせを含む請求項１４に記載の方法。
【請求項１６】
前記組成物が、少なくとも１つの界面活性剤をさらに含む請求項１３に記載の方法。
【請求項１７】
前記接触が、蒸気脱脂により実施される請求項１３に記載の方法。
【請求項１８】
前記蒸気脱脂が、
ａ．前記組成物を沸騰し、
ｂ．前記物品を、前記組成物の蒸気に露出すること
により実施される請求項１７に記載の方法。
【請求項１９】
前記接触が、前記物品を前記組成物に浸漬する第１の工程により行われ、前記組成物が、周囲温度または室温より高い温度である請求項１３に記載の方法。
【請求項２０】
前記組成物が、前記組成物の沸点付近の温度である請求項１９に記載の方法。
【請求項２１】
前記物品を前記組成物に浸漬する第２の工程をさらに含み、前記組成物が、前記第１の浸漬工程よりも低い温度である請求項１９に記載の方法。
【請求項２２】
前記第２の浸漬工程の前記組成物が、周囲温度または室温である請求項２１に記載の方法。
【請求項２３】
前記組成物を沸騰させる工程と、前記物品を前記沸騰組成物の蒸気に露出する工程をさらに含む請求項２１に記載の方法。
【請求項２４】
前記組成物が、周囲温度または室温である請求項１３に記載の方法。
【請求項２５】
前記接触が、前記組成物で飽和した物体で前記表面を拭くことにより実施される請求項１３に記載の方法。
【請求項２６】
物品の表面にフッ素潤滑剤を堆積させる方法であって、
ａ．フッ素潤滑剤と溶媒とを組み合わせて混合物を形成する工程であって、前記溶媒がメチルパーフルオロヘプテンエーテルとメタノールの共沸または共沸様組成物を含む工程と、
ｂ．前記混合物を前記物品の表面と接触させる工程と、
ｃ．前記溶媒を前記物品の前記表面から蒸発させて、前記表面にフッ素潤滑剤コーティングを形成する工程と
を含む、物品の表面にフッ素潤滑剤を堆積させる方法。
【請求項２７】
前記表面が、半導体材料、金属、金属酸化物、蒸着カーボン、もしくはガラス、またはこれらの組み合わせを含む請求項２６に記載の方法。
【請求項２８】
前記表面が、磁気媒体を含む請求項２７に記載の方法。
【請求項２９】
前記磁気媒体が、コンピュータディスクである請求項２８に記載の方法。
【請求項３０】
前記接触が、前記表面を、前記フッ素潤滑剤と溶媒とを含む浴に浸漬または浸すことにより実施される請求項２６に記載の方法。
【請求項３１】
前記接触工程が、前記表面を、フッ素潤滑剤および溶媒でスプレーまたはスピンコートすることにより実施される請求項２６に記載の方法。
【請求項３２】
前記潤滑剤−溶媒の混合物中の前記フッ素潤滑剤濃度が、約０．０２重量パーセント〜約０．５重量パーセントである請求項２６に記載の方法。
【請求項３３】
前記蒸発工程が、約１０℃〜約４０℃の温度で実施される請求項２６に記載の方法。
【請求項３４】
前記フッ素潤滑剤が、パーフルオロポリエーテルを含む請求項２６に記載の方法。
【請求項３５】
前記フッ素潤滑剤が、パーフルオロポリエーテルまたはその混合物を含む請求項２６に記載の方法。
【発明の詳細な説明】
【技術分野】
【０００１】
関連出願の相互参照
本出願は、２０１０年７月２９日出願の米国特許仮出願第６１／３６９，００３号明細書の優先権を主張する。
【０００２】
本開示は、メチルパーフルオロヘプテンエーテル組成物の分野にある。これらの組成物は、共沸または共沸様であり、フラックス除去剤としてクリーニング用途および表面から油または残渣を除去するのに有用である。
【背景技術】
【０００３】
フラックス残渣は、ロジンフラックスを用いて組み立てられたマイクロエレクトロニクスコンポーネントに常に存在する。最新の電子回路基板は、回路およびコンポーネント密度を増大する方向に進んでいるため、はんだ付け後の完全な基板クリーニングは重要な処理工程になっている。はんだ付け後、フラックス残渣は、有機溶媒により除去されることが多い。フラックス除去溶媒は、クリーニングしている基板を損傷することなく、フラックスおよびフラックス残渣を除去できるよう、不燃性で、低毒性および高溶解能力を有していなければならない。使用中の適切な操作のために、マイクロエレクトロニックコンポーネントは、製造完了後に表面を汚染する可能性のあるフラックス残渣、油脂および微粒子をクリーニングしなければならない。
【０００４】
蒸気脱脂および蒸気フラックス除去機器を含むクリーニング装置において、組成物は、シャフトシール、ホース接続、はんだ付けジョイントおよび破損ラインにおける漏れにより操作中失われる可能性がある。さらに、使用組成物は、機器の保守手順中に大気へ放出される可能性がある。組成物が純成分でない場合には、組成物は、機器から大気へ漏れる、または放出されると変化して、機器に残った組成物が許容できない性能を示す可能性がある。従って、単一不飽和フッ素化エーテルを含む組成物をクリーニング組成物として用いるのが望ましい。
【０００５】
モントリオール議定書の結果、以前のクロロフルオロカーボン（ＣＦＣ）およびハイドロクロロフルオロカーボン（ＨＣＦＣ）の略全てが排除されて以来、代替のオゾンを破壊しない溶媒が入手可能になっている。沸点、可燃性および溶媒能力特性は、溶媒混合物を調製することにより調製できることが多いが、これらの混合物は、使用中、望ましくない程度まで分画されるため、不十分であることが多い。かかる溶媒混合物はまた、溶媒蒸留中にも分画されるため、元の組成物の溶媒混合物をリカバーすることを実質的に不可能とさせている。
【０００６】
多くの業界では、金属、セラミックス、ガラスおよびプラスチックの表面処理に水性組成物を用いている。コーティングのクリーニング、めっきの堆積は、水性媒体において実施されることが多く、通常、その後に、残留水を除去する工程が続く。温風乾燥、遠心分離乾燥および溶媒系水置換は、かかる残留水を除去するのに用いられる方法である。
【０００７】
業界においては、フルオロ潤滑剤を堆積するための改善された方法が必要とされている。ＣＦＣ−１１３およびＰＦＣ−５０６０等の特定の溶媒の使用は、それらが環境に与える影響のために、規制されている。ハイドロフルオロカーボン（ＨＦＣ）は、乾燥または脱水用途に以前用いられていたＣＦＣ溶媒について替わるものとして提案されてきたが、多くのＨＦＣは水への溶解度が限定されている。従って、水を基板から除去する補助をする界面活性剤の使用が、多くの乾燥または脱水方法に必要である。疎水性界面活性剤が脱水または乾燥溶媒に添加されて、水を基板から置換してきた。
【０００８】
脱水または乾燥組成物中の脱水または乾燥溶媒（不飽和フッ素化エーテル溶媒）の主な機能は、乾燥中の基板表面の水の量を減じることである。界面活性剤の主な機能は、基板表面から残っている水を置換することである。不飽和フッ素化エーテル溶媒および界面活性剤を組み合わせると、非常に有効な置換乾燥組成物が得られる。
【０００９】
この目的に用いられる溶媒は、フルオロ潤滑剤を溶解し、フルオロ潤滑剤の実質的に均一または均一なコーティングを形成しなければならない。さらに、既存の溶媒は、所与の厚さのコーティングを生成し、フルオロ潤滑剤コーティングの均一性に不規則性を生成するには、より高いフルオロ潤滑剤濃度を必要とすることが分かっている。
【００１０】
最新の最高の記録密度およびデジタル情報をストアする最もコストの低い方法は、磁気材料でコートされた回転ディスクから磁気フラックスパターンを読み書きすることを含むものである。情報がビットの形態でストアされる磁気層は、金属支持構造にスパッタされる。次に、通常カーボン系材料であるオーバーコートが、保護のために磁気層の上部に配置され、最後に潤滑剤がオーバーコートに適用される。読み書きヘッドは潤滑剤上を飛んで、情報が、ヘッドと磁気層間で交換される。読み書きヘッドと磁気層間の距離は、１００オングストローム未満である。
【００１１】
常に、通常のディスドライブ適用中、ヘッドとディスク表面は接触するであろう。ディスクは、滑りおよび飛行接触による摩耗を減じるために潤滑される。フルオロ潤滑剤は、ヘッドとディスク間の摩擦を減じることによって、摩耗を減じ、ディスク不具合の可能性を最小にするための潤滑剤として用いられる。
【００１２】
共沸溶媒混合物は、フラックス除去、脱脂用途、およびその他クリーニング剤が必要とする特性を有していてもよい。共沸混合物は、最大か最小沸点を示し、沸騰しても分画しない。沸騰条件下での組成物の元々の普遍性により、確実に、混合物の個々の成分の比が使用中に変化せず、溶解性も一定のままとなるであろう。
【００１３】
本開示は、半導体チップおよび回路基板クリーニング、フラックス除去および脱脂プロセスに有用な共沸および共沸様組成物を提供する。本発明の組成物は不燃性であり、分画しないため、使用中、可燃性組成物を生成しないであろう。さらに、使用済み共沸溶媒混合物は、組成変化することなく、再蒸留して再使用することができる。
【発明の概要】
【課題を解決するための手段】
【００１４】
本開示は、メチルパーフルオロヘプテンエーテル（「ＭＰＨＥ」）とメタノールを含む共沸または共沸様組成物を提供する。本開示は、（ａ）物品をＭＰＨＥとメタノールの共沸または共沸様組成物を含む組成物と接触させる工程と、（ｂ）表面を組成物からリカバーする工程とを含む物品の表面から残渣を除去する方法をさらに提供する。
【００１５】
本開示はまた、（ａ）フルオロ潤滑剤を、ＭＰＨＥとメタノールの共沸または共沸様組成物を含む溶媒と組み合わせて混合物を形成する工程と、（ｂ）混合物を物品の表面と接触させる工程と、（ｃ）溶媒を物品の表面から蒸発させて、表面にフルオロ潤滑剤コーティングを形成する工程とを含む、物品の表面にフルオロ潤滑剤を堆積する方法も提供する。
【発明を実施するための形態】
【００１６】
本明細書で用いる「含む」、「含んでいる」、「有する」、「有している」、「持つ」、「持っている」またはその他変形の用語は、非排他的な包括をカバーするものである。例えば、要素のリストを含むプロセス、方法、物品または装置は、それらの要素に必ずしも限定されず、明示的にリストされていない、またはかかるプロセス、方法、物品または装置に固有の他の要素も含まれていてよい。さらに、明示的にそれには反するとした場合を除き、「または」は、包括的なまたはであり、排他的なまたはでない。例えば、条件ＡまたはＢを満たすのは次のうちのいずれかである。Ａが真（または存在する）でＢが偽（または存在しない）、Ａが偽（または存在しない）でＢが真（または存在する）、およびＡとＢの両方が真（または存在する）。
【００１７】
単数形（「ａ」または「ａｎ」）の使用は、本発明の要素および成分を記載するために使用される。これは、単に便宜上のために、かつ本発明の一般的な意味を与えるために使用される。この記載は、１つまたは少なくとも１つを含めるように読まれるべきであり、他の意味であることが明白でない限り、単数形には複数形も含まれる。
【００１８】
別記しない限り、本明細書で用いる科学技術用語は全て、本発明の属する当業者により一般的に理解されるのと同じ意味を持つ。本明細書に記載されたものと同様または等価の方法および材料を、本開示の実施形態の実施または試験に用いることができるが、好適な方法および材料は後述する。本明細書で言及した出版物、特許出願、特許およびその他参考文献は全て、別記しない限り、その全内容が、参考文献として組み込まれる。矛盾がある場合には、定義を含めた本明細書が優先される。また、材料、方法および実施例は例示のためのみであり、限定しようとするものではない。
【００１９】
多くの態様および実施形態を上述してきたが、単なる例示に過ぎず、限定するものではない。本明細書を読めば、当業者であれば、本発明の範囲から逸脱することなく、他の態様および実施形態が可能であることが分かる。
【００２０】
本明細書に記載されているのは、ＭＰＨＥとメタノールの共沸および共沸様組成物である。ＭＰＨＥは、開示内容が本明細書に参考文献として援用される係属中の米国特許出願第１２／７０１，８０２号明細書に記載されている。同じく、本明細書に記載されているのは、ＭＰＨＥとメタノールの共沸および共沸様組成物を用いる新規な方法である。
【００２１】
本明細書で用いる共沸組成物は、実質的な組成変化なく蒸留され、定沸点組成物として挙動する２つ以上の物質の定沸点液体混合物である。共沸と特徴付けられる定沸点組成物は、同じ物質の非共沸組成物に比べて、最大か最低沸点のいずれかを示す。共沸組成物は、液体の部分的蒸発または蒸留により生成される蒸気が液体と同じ組成を有するという点で、単一物質として挙動する２つ以上の物質の液体混合物である均一な共沸混合物を含む。本明細書で用いる共沸組成物はまた、液相が２つ以上の液相に分離した不均一共沸物も含む。これらの実施形態において、共沸点で、気相は、２つの液相と平衡しており、３つの相は全て異なる組成を有している。不均一共沸物の２つの平衡液相を結合し、全体の液相の組成物を計算すると、これは気相の組成と同一であろう。
【００２２】
本明細書で用いる「共沸様組成物」という用語はまた、「近共沸組成物」とも呼ばれることがあり、単一の物質として挙動する２つ以上の物質の定沸点または実質的に定沸点の液体混合物を意味する。共沸様組成物を特徴付ける１つの方法は、液体の部分蒸発または蒸留により生成された蒸気を、蒸発または蒸留された液体と実質的に同じ組成を有するようにすることである。すなわち、混合物が、実質的な組成変化なしで、蒸留または還流される。あるいは、共沸様組成物は、各純成分の沸点未満の沸点を有する組成物と特徴付けてもよい。
【００２３】
さらに、共沸様組成物を特徴付ける他の方法は、特定の温度で、組成物の泡立ち点圧力と組成物の露点蒸気圧を実質的に同じようにするものである。近共沸組成物は、実質的に圧力差のない露点圧力と泡立ち点圧力を示す。従って、所与の温度での露点圧力と泡立ち点圧力における差は小さな値となるであろう。３パーセント以下（泡立ち点圧力を基準として）の露点圧力と泡立ち点圧力差の組成物は、近共沸混合物と考えてよいものと言える。
【００２４】
本発明の一実施形態の組成物は、共沸組成物を形成するためのＭＰＨＥと有効量のメタノールを含む。「有効量」とは、ＭＰＨＥと結合すると、共沸または近共沸混合物の形成となる量と定義される。ＭＰＨＥは、強塩基存在下でのパーフルオロ−３−ヘプテン等のパーフルオロヘプテンとメタノールの反応生成物である不飽和フルオロエーテルの異性体混合物を含む。一実施形態において、混合物は、以下の化合物の１つ以上の混合物を含む。ＣＦ3ＣＦ2ＣＦ＝ＣＦＣＦ（ＯＲ）ＣＦ2ＣＦ3、ＣＦ3ＣＦ2Ｃ（ＯＲ）＝ＣＦＣＦ2ＣＦ2ＣＦ3、ＣＦ3ＣＦ＝ＣＦＣＦ（ＯＲ）ＣＦ2ＣＦ2ＣＦ3およびＣＦ3ＣＦ2ＣＦ＝Ｃ（ＯＲ）ＣＦ2ＣＦ2ＣＦ3（式中、Ｒ＝ＣＨ3）。
【００２５】
メタノールとＭＰＨＥの共沸結合物を含む組成物を形成してよい。一実施形態において、これらには、約７６．４モルパーセント〜約９０．８モルパーセントのメタノールと、約９．２モルパーセント〜約２３．６モルパーセントのＭＰＨＥ（約０℃〜約１９０℃の温度および約０．６４ｐｓｉａ〜約４９５ｐｓｉａの圧力で沸騰する共沸物を形成する）を含む組成物を有する。ＭＰＨＥの標準沸点は１１０．５℃である。
【００２６】
他の実施形態において、メタノールとＭＰＨＥの共沸結合物の組み合わせから実質的になる組成物を形成してもよい。これらには、約９０．８モルパーセント〜約７６．４モルパーセントのメタノールと、約９．２モルパーセント〜約２３．６モルパーセントのＭＰＨＥ（約０℃〜約１９０℃の温度および約０．６４ｐｓｉａ〜約４９５ｐｓｉａの圧力で沸騰する共沸物を形成する）から実質的になる組成物を有する。
【００２７】
本発明の一実施形態において、共沸様組成物は、約０．２モルパーセント〜約６５．１モルパーセントのＭＰＨＥとメタノールを含む。本発明の他の実施形態において、共沸様組成物は、約０．１モルパーセント〜約２６．８モルパーセントのＭＰＨＥを含み、約０℃〜約１８０℃の温度で、約０．６４ｐｓｉａ〜約４１４ｐｓｉａの圧力を有する。本発明のさらに他の実施形態において、共沸様組成物は、約６．１モルパーセント〜約２６．８モルパーセントのＭＰＨＥとメタノールを含む。メタノールは、約７３．２モルパーセント〜約９３．９モルパーセント含んでいてもよい。蒸気圧は、約０．６４ｐｓｉａ〜約４１４ｐｓｉａである。温度は、約０℃〜約１８０℃である。
【００２８】
本発明の一実施形態において、共沸様組成物は、約０．２モルパーセント〜約６５．１モルパーセントのＭＰＨＥとメタノールから実質的になる。本発明の他の実施形態において、共沸様組成物は、約０．１モルパーセント〜約２６．８モルパーセントのＭＰＨＥとメタノールから実質的になり、約０℃〜約１８０℃の温度で約０．６４ｐｓｉａ〜約４１４ｐｓｉａの圧力を有する。本発明のさらに他の実施形態において、共沸または共沸様組成物は、約６．１モルパーセント〜約２６．８モルパーセントのＭＰＨＥとメタノールから実質的にある。蒸気圧は、約０．６４ｐｓｉａ〜約４１４ｐｓｉａである。温度は、約０℃〜約１８０℃である。
【００２９】
一実施形態において、本組成物は、噴射剤をさらに含んでいてよい。エーロゾル噴射剤は、エーロゾルの形態で貯蔵容器から表面まで本発明の組成物を分配するのを補助することができる。エーロゾル噴射剤は、総組成物の約２５重量パーセントまで、本発明の組成物に任意で含まれる。代表的なエーロゾル噴射剤は、空気、窒素、二酸化炭素、２，３，３，３−テトラフルオロプロペン（ＨＦＯ−１２３４ｙｆ）、トランス−１，３，３，３−テトラフルオロプロペン（ＨＦＯ−１２３４ｚｅ）、１，２，３，３，３−ペンタフルオロプロペン（ＨＦＯ−１２２５ｙｅ）、ジフルオロメタン（ＣＦ2Ｈ2、ＨＦＣ−３２）、トリフルオロメタン（ＣＦ-3Ｈ、ＨＦＣ−２３）、ジフルオロエタン（ＣＨＦ2ＣＨ3、ＨＦＣ−１５２ａ）、トリフルオロエタン（ＣＨ3ＣＦ3、ＨＦＣ−１４３ａまたはＣＨＦ2ＣＨ2Ｆ、ＨＦＣ−１４３）、テトラフルオロエタン（ＣＦ3ＣＨ2Ｆ、ＨＦＣ−１３４ａまたはＣＦ2ＨＣＦ2Ｈ、ＨＦＣ−１３４）、ペンタフルオロエタン（ＣＦ3ＣＦ2Ｈ、ＨＦＣ−１２５）および炭化水素、例えば、プロパン、ブタンまたはペンタン、ジメチルエーテルあるいはこれらの組み合わせを含む。
【００３０】
他の実施形態において、本発明の組成物は、少なくとも１つの界面活性剤をさらに含んでいてもよい。本開示の界面活性剤は、基板の脱水または乾燥の当該技術分野において公知の全ての界面活性剤が含まれる。代表的な界面活性剤としては、アルキルホスフェートアミン塩（２−エチルヘキシルアミンとイソオクチルホスフェートの１：１塩等）、エトキシル化アルコール、メルカプタンまたはアルキルフェノール、アルキルホスフェートの第４級アンモニウム塩（アンモニウムまたはホスフェート基のいずれかにフルオロアルキル基を有する）およびフッ素化アミンのモノ−またはジ−アルキルホスフェートが挙げられる。追加のフッ素化界面活性剤化合物は、参考文献として援用される米国特許第５，９０８，８２２号明細書に記載されている。
【００３１】
本発明の脱水組成物に含まれる界面活性剤の量は、その組成物が用いられるであろう特定の乾燥用途に応じて大きく異なり得るが、当業者であればすぐに分かる。一実施形態において、不飽和フッ素化エーテル溶媒に溶解した界面活性剤の量は、界面活性剤／溶媒組成物の総重量を基準として、約１重量パーセント以下である。他の実施形態において、組成物による処理後、乾燥させる基材を、界面活性剤を含有しない、または最小量の界面活性剤を含有する溶媒で後に処理する場合は、多めの量の界面活性剤を用いることができる。一実施形態において、界面活性剤の量は、少なくとも約５０百万分率（ｐｐｍ、重量基準で）である。他の実施形態において、界面活性剤の量は、約１００〜約５０００ｐｐｍである。さらに他の実施形態において、用いる界面活性剤の量は、脱水組成物の総重量を基準として、約２００〜約２０００ｐｐｍである。
【００３２】
任意で、その他の添加剤を、脱水に用いる溶媒および界面活性剤を含む本発明の組成物に含めてもよい。かかる添加剤としては、帯電防止特性、ガラスおよびシリカ等の非導電性基材からの正電荷を消失させる能力を有する化合物が挙げられる。本発明の脱水組成物に帯電防止添加剤を用いることは、ガラスレンズおよびミラー等の非導電性部品から水または水溶液を乾燥させるときのスポットや染みを防ぐのに必要となる場合がある。本発明のたいていの不飽和フルオロエーテル溶媒はまた、誘電性流体としても有用性がある。すなわち、それらは、電流の不良導体で、静電荷を容易に消失しない。
【００３３】
従来の乾燥およびクリーニング機器の脱水組成物の沸騰および大循環により、特に、水の大半が基板から除去された乾燥プロセスの後の段階において静電荷が形成される可能性がある。かかる静電荷は、基板の非導電性表面で集まり、水が表面から放出されるのを阻害する。残留水は、そこで乾燥し、基板上に望ましくないスポットやしみを生じる。基板に残る静電荷は、クリーニングプロセスからの不純物を持ち込んだり、空気からの埃等の不純物を引き寄せる恐れがあり、クリーニング性能を許容できないものとする。
【００３４】
一実施形態において、望ましい帯電防止添加剤は、極性化合物であり、本発明の不飽和フッ素化エーテル溶媒に可溶で、不飽和フッ素化エーテル溶媒の導電性が増大する結果、基板からの静電荷を消失させる。他の実施形態において、帯電防止添加剤は、不飽和フッ素化エーテル溶媒と近い標準沸点を有しており、水中溶解度が最少である。さらに他の実施形態において、帯電防止添加剤は、約０．５重量パーセント未満の水中溶解度を有している。一実施形態において、帯電防止剤の溶解度は、不飽和フッ素化エーテル溶媒中少なくとも０．５重量パーセントである。一実施形態において、帯電防止添加剤は、ニトロメタン（ＣＨ3ＮＯ2）である。
【００３５】
一実施形態において、帯電防止添加剤を含む脱水組成物は、後述するとおり、基板の脱水または乾燥方法の脱水、乾燥、濯ぎ工程のいずれにも有効である。
【００３６】
他の実施形態は、
ａ）基板を、界面活性剤を含有するＭＰＨＥとメタノールの共沸または共沸様組成物を含む溶媒を含む組成物と接触させることにより、基板を脱水する工程と、
ｂ）脱水した基板を組成物からリカバーする工程と
を含む基板の脱水または乾燥方法に関する。
【００３７】
一実施形態において、脱水および乾燥用界面活性剤は、合計溶媒／界面活性剤組成物重量を基準として少なくとも１重量パーセントまで可溶である。別の実施形態において、本開示の脱水または乾燥方法は、タングステン、銅、金、ベリリウム、ステンレス鋼、アルミニウム合金、黄銅等の金属、ガラス、サファイア、ホウケイ酸ガラス、アルミナ、電子回路に用いられるシリコンウェハ等のシリカ、焼成アルミナ等のガラスおよびセラミック表面、ポリオレフィン（「Ａｌａｔｈｏｎ」、Ｒｙｎｉｔｅ（登録商標）、「Ｔｅｎｉｔｅ」）、ポリ塩化ビニル、ポリスチレン（Ｓｔｙｒｏｎ）、ポリテトラフルオロエチレン（Ｔｅｆｌｏｎ（登録商標））、テトラフルオロエチレン−エチレンコポリマー（Ｔｅｆｚｅｌ（登録商標））、ポリフッ化ビニリデン（「Ｋｙｎａｒ」）、イオノマー（Ｓｕｒｌｙｎ（登録商標））、アクリロニトリル−ブタジエン−スチレンポリマー（Ｋｒａｌａｃ（登録商標））、フェノール−ホルムアルデヒドコポリマー、セルロース（「Ｅｔｈｏｃｅｌ」）、エポキシ樹脂、ポリアセタール（Ｄｅｌｒｉｎ（登録商標））、ポリ（ｐ−フェニレンオキシド）（Ｎｏｒｙｌ（登録商標））、ポリエーテルケトン（「Ｕｌｔｒａｐｅｋ」）、ポリエーテルエーテルケトン（「Ｖｉｃｔｒｅｘ」）、ポリ（ブチレンテレフタレート）（「Ｖａｌｏｘ」）、ポリアリーレート（Ａｒｙｌｏｎ（登録商標））、液晶ポリマー、ポリイミド（Ｖｅｓｐｅｌ（登録商標））、ポリエーテルイミド（「Ｕｌｔｅｍ」）、ポリアミドイミド（「Ｔｏｒｌｏｎ」）、ポリ（ｐ−フェニレンスルフィド）（「Ｒｙｔｈｏｎ」）、ポリスルホン（「Ｕｄｅｌ」）およびポリアリールスルホン（「Ｒｙｄｅｌ」）等のプラスチックをはじめとする広範囲な基板から水を置換するのに非常に有効である。他の実施形態において、本発明の脱水または乾燥方法に用いる組成物はエラストマーと相溶性がある。
【００３８】
一実施形態において、本開示は、基板を、上述した脱水組成物と接触させる工程と、基板を脱水組成物との接触から外す工程とを含む水の少なくとも一部を、濡れた基板の表面から除去（脱水）する方法に関する。他の実施形態において、基板の表面に元々結合していた水が、溶媒および／または界面活性剤と置換されて、脱水組成物が残る。本明細書で用いる「水の少なくとも一部」という用語は、基板の表面にある水の少なくとも約７５重量パーセントが、浸漬サイクル毎に除去されることを意味する。本明細書で用いる「浸漬サイクル」という用語は、基板を本発明の脱水組成物に浸漬する工程を少なくとも含む１サイクルを意味する。
【００３９】
任意で、基板に接合して残った最小量の界面活性剤は、基板を界面活性剤フリーのハロカーボン溶媒と接触させることによりさらに除去することができる。物品を溶媒蒸気または還流溶媒中に保持すると、基板に残る界面活性剤の存在をさらに減じるであろう。基板の表面に接合した溶媒の除去は、蒸発によりなされる。大気または大気より低い圧力での溶媒の蒸発を用いることができ、ハロカーボン溶媒の沸点より高い、かつ低い温度を用いることができる。
【００４０】
基板を脱水組成物と接触させる方法は、重要でなく、幅広く変えることができる。例えば、基板を組成物に浸漬することができる。または、従来の機器を用いて、基板に組成物をスプレーすることができる。概して、組成物と基板の全露出表面の間の接触が確保されるため、基板は完全に浸漬するのが好ましい。しかしながら、かかる完全な接触を容易に行える他の何らかの方法を用いてもよい。
【００４１】
基板と脱水組成物を接触させる時間は、広く変えることができる。通常、接触時間は、約５分までであるが、必要に応じて、これより長い時間を用いてもよい。脱水プロセスの一実施形態において、接触時間は、約１秒〜約５分である。他の実施形態において、脱水プロセスの接触時間は、約１５秒〜約４分である。
【００４２】
接触温度も、組成物の沸点に応じて、広く変えることができる。概して、接触温度は、組成物の標準沸点に等しい、またはそれ未満である。
【００４３】
一実施形態において、本開示の組成物は、共溶媒をさらに含有していてもよい。かかる共溶媒は、従来のプロセス残渣を基板からクリーニングする、例えば、はんだフラックスを除去し、本発明の基板を含む機械部品を脱脂するのに本発明の組成物を用いる場合、望ましい。かかる共溶媒としては、アルコール（例えば、メタノール、エタノール、イソプロパノール）、エーテル（例えば、ジエチルエーテル、メチルターシャリー−ブチルエーテル）、ケトン（例えば、アセトン）、エステル（例えば、酢酸エチル、ドデカン酸メチル、ミリスチン酸イソプロピルおよびコハク、グルタルまたはアジピン酸のジメチルまたはジイソブチルエステルあるいはこれらの混合物）、エーテルアルコール（プロピレングリコールモノプロピルエーテル、ジプロピレングリコールモノブチルエーテルおよびトリプロピレングリコールモノメチルエーテル）、ハイドロカーボン（例えば、ペンタン、シクロペンタン、ヘキサン、シクロヘキサン、ヘプタン、オクタン）およびハイドロクロロカーボン（例えば、トランス−１，２−ジクロロエチレン）が挙げられる。かかる共溶媒を、基板脱水またはクリーニングのための本発明の組成物と共に用いるときは、組成物全体の重量を基準として、約１重量パーセント〜約５０重量パーセントの量で存在させればよい。
【００４４】
本開示の他の実施形態は、
ａ．表面を、ＭＰＨＥとメタノールの共沸または共沸様組成物を含む溶媒を含む組成物と接触させる工程と、
ｂ．表面を組成物からリカバーする工程と
を含む表面をクリーニングする方法に関する。
【００４５】
一実施形態において、本発明の組成物は、クリーニング組成物、クリーニング剤、堆積溶媒および脱水または乾燥溶媒として有用である。他の実施形態において、本発明は、本開示のクリーニング組成物またはクリーニング剤と表面または基板を接触させる工程と、任意で、実質的に残渣のない表面または基板をクリーニング組成物またはクリーニング剤からリカバーする工程とを含む表面または基板から残渣を除去する方法に関する。
【００４６】
さらに他の実施形態において、本開示は、汚染物質を表面から除去することにより、表面をクリーニングする方法に関する。汚染物質を表面から除去する方法は、汚染物質を有する表面を、本発明のクリーニング組成物と接触させて、汚染物質を溶解し、任意で、クリーニング組成物から表面をリカバーすることを含む。すると、表面は実質的に汚染物質フリーである。前述したとおり、本方法により除去できる汚染物質または残渣としては、これらに限られるものではないが、油、グリース、フラックス残渣および微粒子汚染物質が挙げられる。
【００４７】
本開示の一実施形態において、接触させる方法は、基板にスプレーする、基板を洗い流す、または、例えば、クリーニング組成物を組み込んだ、またはそれを付けた雑巾または紙で拭くことにより行ってよい。本開示の他の実施形態において、接触させる方法は、クリーニング組成物の浴に物品を浸すまたは浸漬することにより行ってよい。
【００４８】
本開示の一実施形態において、リカバーする方法は、クリーニング組成物浴から接触させた表面を除去することにより（後述する、表面にフルオロ潤滑剤を堆積させる方法について記載したのと同様のやり方で）行う。本発明の他の実施形態において、リカバーする方法は、スプレーした、洗い流した、または拭いたクリーニング組成物をディスクから流すことにより行われる。さらに、前の工程の完了後に残る可能性のある何らかの残渣のクリーニング組成物は、堆積方法と同様のやり方で蒸発させてよい。
【００４９】
表面をクリーニングする方法は、後述する堆積方法と同じ種類の表面に適用してもよい。シリカ、ガラス、金属または金属酸化物またはカーボンの半導体表面または磁気媒体ディスクは、本発明の方法により除去される汚染物質を有する可能性がある。上述した方法において、ディスクにクリーニング組成物を接触させ、ディスクをクリーニング組成物からリカバーすることにより、汚染物質をディスクから除去することができる。
【００５０】
さらに他の実施形態において、本方法はまた、物品を本開示のクリーニング組成物と接触させることにより、製品、部品、コンポーネント、基板または任意のその他の物品またはそれらの一部から汚染物質を除去する方法も提供する。本明細書で参照する「物品」という用語は、全てのかかる製品、部品、コンポーネント、基板等を指し、それらの任意の表面または一部を指すことをさらに意図している。
【００５１】
本明細書で用いる「汚染物質」という用語は、たとえ、物品に意図的に配置されていたとしても、物品に存在する何らかの望ましくない材料または物質を指す。例えば、半導体デバイスの製造においては、フォトレジスト材料を基板に堆積して、エッチング操作のマスクを形成し、その後、フォトレジスト材料を基板から除去するのが一般的である。本明細書で用いる「汚染物質」という用語は、かかるフォトレジスト材料をカバーし、包含するものとする。ハイドロカーボン系の油およびグリースならびにジオクチルフタレートは、カーボンコートディスクにあるであろう汚染物質の例である。
【００５２】
一実施形態において、本発明の方法は、蒸気脱脂および溶媒クリーニング方法において、物品を本発明のクリーニング組成物と接触させることを含む。かかる一実施形態において、蒸気脱脂および溶媒クリーニング方法は、物品を、好ましくは、室温で、沸騰クリーニング組成物の蒸気に露出することからなる。対象物に凝縮する蒸気には、比較的清浄な蒸留クリーニング組成物を与えて、グリースまたはその他汚染物質を洗い流すという利点がある。かかるプロセスには、対象物からの本発明のクリーニング組成物の最終蒸発によって、対象物を液体クリーニング組成物で単に洗浄する場合に比べて、比較的僅かな残渣しか残らないという点でさらなる利点を有する。
【００５３】
他の実施形態において、除去の難しい汚染物質を物品が含む用途について、本発明の方法には、周囲温度より高い、またはかかる用途に有効な任意のその他の温度まで、クリーニング組成物の温度を上げて、クリーニング組成物のクリーニング作用を大幅に改善することが含まれる。かかる一実施形態において、かかるプロセスはまた、物品、特に、金属パーツおよび組立体のクリーニングを効率的かつ迅速に行わなければならない大量組立ライン操作にも一般的に用いられる。
【００５４】
一実施形態において、本開示のクリーニング方法は、清浄にする物品を、高温で、液体クリーニング組成物に浸漬することを含む。他の実施形態において、本開示のクリーニング方法は、清浄にする物品を、クリーニング組成物の略沸点で、液体クリーニング組成物に浸漬することを含む。かかる一実施形態において、この工程は、大量の目的とする汚染物質を物品から除去する。さらに他の実施形態において、この工程は、大部分の目的とする汚染物質を物品から除去する。一実施形態において、この工程に続いて、前の浸漬工程における液体クリーニング組成物の温度より低い温度で、新たに蒸留したクリーニング組成物に物品を浸漬する。かかる一実施形態において、新たに蒸留したクリーニング組成物は、略周囲または室温である。さらに他の実施形態において、本方法はまた、既述の第１の浸漬工程に関連した熱／沸点クリーニング組成物から出た蒸気に物品を露出することにより、クリーニング組成物の比較的熱い蒸気と物品を接触させる工程を含む。かかる一実施形態において、これによって、物品のクリーニング組成物蒸気が凝縮する。ある好ましい実施形態において、最終濯ぎの前に、物品に蒸留クリーニング組成物をスプレーしてもよい。
【００５５】
本方法に関して用いるのに、数多くの様々な種類の蒸気脱脂機器が適用可能であるものと考えられる。かかる機器およびその操作の一例は、参考文献として援用される米国特許第３，０８５，９１８号明細書に開示されている。そこに開示された機器は、クリーニング組成物を含む沸騰槽、蒸留したクリーニング組成物を含むクリーン槽、水分離器およびその他補助機器を有している。
【００５６】
本クリーニング方法はまた、コールドクリーニングも含んでよく、コールドクリーニングにおいては、汚染した物品を、本開示の流体クリーニング組成物に、周囲または室温条件下で浸漬するか、または、クリーニング組成物に浸したぼろ布または同様の物体で、かかる条件下で拭く。
【００５７】
（ａ）フッ素潤滑剤と、ＣＦ3（ＣＦ2）xＣＦ＝ＣＦＣＦ（ＯＲ）（ＣＦ2）yＣＦ3、ＣＦ3（ＣＦ2）xＣ（ＯＲ）＝ＣＦＣＦ2（ＣＦ2）yＣＦ3、ＣＦ3ＣＦ＝ＣＦＣＦ（ＯＲ）（ＣＦ2）x（ＣＦ2）yＣＦ3、ＣＦ3（ＣＦ2）xＣＦ＝Ｃ（ＯＲ）ＣＦ2（ＣＦ2）yＣＦ3およびこれらの混合物（式中、Ｒは、ＣＨ3、Ｃ2Ｈ5またはこれらの混合物のいずれかとすることができ、ｘおよびｙは、独立に、０、１、または２であり、ｘ＋ｙ＝０、１、２または３である）からなる群から選択される少なくとも１つの不飽和フルオロエーテルを含む溶媒を配合して、潤滑剤−溶媒の配合物を形成する工程と、（ｂ）潤滑剤−溶媒の配合物を表面と接触させる工程と、（ｃ）溶媒を表面から蒸発させて、表面にフッ素潤滑剤コーティングを形成する工程とを含む、表面にフッ素潤滑剤を堆積させる方法に関する。
【００５８】
本発明の一実施形態において、本開示のフッ素潤滑剤は、パーフルオロポリエーテル（ＰＦＰＥ）化合物、またはホスファゼン含有ディスク潤滑剤であるＸ−１Ｐ（登録商標）を含む潤滑剤を含む。これらのパーフルオロポリエーテル化合物は、パーフルオロアルキルエーテル（ＰＦＡＥ）またはパーフルオロポリアルキルエーテル（ＰＦＰＡＥ）と呼ばれることもある。これらのＰＦＰＥ化合物は、単純な過フッ素化エーテルポリマーから、官能化過フッ素化エーテルポリマーまで及ぶ。本開示においてフッ素潤滑剤として有用となり得る異なる種類のＰＦＰＥ化合物は、いくつかの源より入手可能である。
【００５９】
他の実施形態において、本発明の方法に有用なフッ素潤滑剤としては、これらに限られるものではないが、Ｋｒｙｔｏｘ（登録商標）ＧＬＰ１００、ＧＬＰ１０５またはＧＬＰ１６０（Ｅ．Ｉ．ｄｕ  Ｐｏｎｔ  ｄｅ  Ｎｅｍｏｕｒｓ＆Ｃｏ．，Ｆｌｕｏｒｏｐｒｏｄｕｃｔｓ，Ｗｉｌｍｉｎｇｔｏｎ，ＤＥ，１９８９８，ＵＳＡ）、Ｆｏｍｂｌｉｎ（登録商標）Ｚ−Ｄｏｌ２０００，２５００または４０００、Ｚ−ＴｅｔｒａｏｌまたはＦｏｍｂｌｉｎ（登録商標）ＡＭ２００１またはＡＭ３００１（Ｓｏｌｖａｙ  Ｓｏｌｅｘｉｓ  Ｓ．ｐ．Ａ．，Ｍｉｌａｎ，Ｉｔａｌｙより販売）、Ｄｅｍｎｕｍ（登録商標）ＬＲ−２００またはＳ−６５（Ｄａｉｋｉｎ  Ａｍｅｒｉｃａ，Ｉｎｃ．，Ｏｓａｋａ，Ｊａｐａｎより提供）、Ｘ−１Ｐ（登録商標）（Ｄｏｗ  Ｃｈｅｍｉｃａｌ  Ｃｏ，Ｍｉｄｌａｎｄ，ＭＩの子会社であるＱｕｉｘｔｏｒ  Ｔｅｃｈｎｏｌｏｇｉｅｓ  Ｃｏｒｐｏｒａｔｉｏｎより入手可能な部分フッ素化ヘキサフェノキシシクロトリホスファゼンディスク潤滑剤）およびこれらの混合物が挙げられる。
【００６０】
Ｋｒｙｔｏｘ（登録商標）潤滑剤は、一般構造Ｆ（ＣＦ（ＣＦ3）ＣＦ2Ｏ）n−ＣＦ2ＣＦ3（式中、ｎは１０〜６０）を有するパーフルオロアルキルポリーエテルである。Ｆｏｍｂｌｉｎ（登録商標）潤滑剤は、分子量が５００〜４０００原子質量単位で、一般式Ｘ−ＣＦ2−Ｏ（ＣＦ2−ＣＦ2−Ｏ）p−（ＣＦ2Ｏ）q−ＣＦ2−Ｘ（式中、Ｘは、−ＣＨ2ＯＨ、ＣＨ2（Ｏ−ＣＨ2−ＣＨ2）nＯＨ、ＣＨ2ＯＣＨ2ＣＨ（ＯＨ）ＣＨ2ＯＨまたは−ＣＨ2Ｏ−ＣＨ2−ピペロニルであってよい）を有する官能化パーフルオロポリエーテルである。Ｄｅｍｎｕｍ（登録商標）油は、分子量が２７００〜８４００原子質量単位の範囲のパーフルオロポリエーテル系油である。さらに、本発明の方法に有用となり得るＭｏｒｅｓｃｏ（Ｔｈａｉｌａｎｄ）Ｃｏ．，Ｌｔｄ製のもの等新たな潤滑剤が開発されている。
【００６１】
本開示のフッ素潤滑剤は、フッ素潤滑剤の特性を改善する添加剤をさらに含んでいてもよい。ＰＦＰＥ劣化に関与するディスク表面のルイス酸部位をパッシベートすることにより、ディスクドライブの耐久性を増大するために、潤滑剤自体として機能し得るＸ−１Ｐ（登録商標）が他の低コストフッ素潤滑剤に添加されることが多い。他の一般的な潤滑添加剤を、本発明の方法のフッ素潤滑剤に用いてもよい。
【００６２】
本開示のフッ素潤滑剤は、Ｚ−ＤＰＡ（Ｈｉｔａｃｈｉ  Ｇｌｏｂａｌ  Ｓｔｏｒａｇｅ  Ｔｅｃｈｎｏｌｏｇｉｅｓ，Ｓａｎ  Ｊｏｓｅ，ＣＡ）、ジアルキルアミン末端基で終端したＰＦＰＥをさらに含んでいてもよい。求核末端基は、Ｘ１Ｐ（登録商標）と同じ目的で作用し、添加剤を全く加えずに、同じ安定性を与える。
【００６３】
フッ素潤滑剤が堆積し得る表面は、潤滑による利点を得ることのできる任意の固体表面である。シリカディスク、金属または金属酸化物表面、蒸着カーボン表面またはガラス表面等の半導体材料は、本開示の方法が有用な表面の種類の代表例である。本開示の方法は、コンピュータドライブハードディスク等の磁気媒体のコーティングに特に有用である。コンピュータディスクの製造において、表面は、アモルファス水素化または窒素化カーボンの薄層（１０〜５０オングストローム）の蒸着によりコートもされた磁気媒体層を備えたガラスまたはアルミニウム基板であってよい。フッ素潤滑剤をディスクのカーボン層に間接的に適用することにより、フッ素潤滑剤を表面ディスクに堆積してもよい。
【００６４】
フルオロ潤滑剤と溶媒を結合する第１の工程（「フルオロ潤滑剤／溶媒結合」）は、堆積方法の浴として用いてよいビーカーやその他容器等好適な容器において、混合等の任意の好適なやり方で行ってよい。不飽和フッ素化エーテル溶媒中のフルオロ潤滑剤濃度は、約０．０１０パーセント（ｗｔ／ｗｔ）〜約０．５０パーセント（ｗｔ／ｗｔ）であってよい。
【００６５】
フルオロ潤滑剤／溶媒結合物を表面と接触させる工程は、表面のサイズおよび形状を基準として、表面に適した任意のやり方で行ってよい。ハードドライブディスクは、ディスク中心の穴を通り抜けることのできるマンドレルまたはその他支持体等何らかのやり方で支持されなければならない。このように、ディスクは、ディスクの面が溶媒浴に垂直になるように、水平に保持されるであろう。マンドレルは、これらに限られるものではないが、円柱バーまたはＶ形バーをはじめとする異なる形状を有していてよい。マンドレル形状によって、ディスクとの接触面積が決まるであろう。マンドレルは、これらに限られるものではないが、金属、金属合金、プラスチックまたはガラスをはじめとするディスクを保持するのに十分な材料強度で構築すればよい。さらに、ディスクは、織かごに直立に支持しても、または外縁で１つ以上の留め具により垂直位置に留めてもよい。支持体は、金属、金属合金、プラスチックまたはガラス等、ディスクを保持する強度を備えた任意の材料で構築してよい。ただし、ディスクは支持されると、ディスクは、フッ素潤滑剤／溶媒の配合物の浴を保持する容器へと下げられる。浴は、室温に保持する、あるいは約０℃〜約５０℃に及ぶ温度まで加熱または冷却してよい。
【００６６】
あるいは、ディスクは、上述したとおりに支持し、浴を上げて、ディスクを浸漬してもよい。いずれの場合においても、浴を下げるか、ディスクを上げるかのいずれかにより、ディスクは浴から取り出すことができる。過剰のフッ素潤滑剤／溶媒の配合物は浴へ流出させることができる。
【００６７】
ディスクを浴に下げるか、浴を上げるかのいずれかによってディスクを浸漬させるものである、フッ素潤滑剤／溶媒の配合物をディスク表面と接触させる方法はいずれも、ディップコーティングと一般的に呼ばれている。スプレーまたはスピンコーティングをはじめとするディスクをフッ素潤滑剤／溶媒の配合物と接触させる他の方法を、本開示に用いてもよい。
【００６８】
ディスクを浴から取り出すとき、ディスクは、フッ素潤滑剤と残渣溶媒（不飽和フッ素化エーテル）のコーティングをその表面に有するであろう。残渣溶媒は蒸発する可能性がある。蒸発は、通常、室温でなされる。しかしながら、室温より高い温度と低い温度の両方の他の温度を蒸発工程に用いてもよい。約０℃〜約１００℃の範囲の温度を蒸発に用いてよい。
【００６９】
表面、または表面がディスクの場合にはディスクには、コーティング法の完了後、実質的に溶媒フリーのフッ素潤滑剤の実質的に均一または均一なコーティングが残るであろう。フッ素潤滑剤は、約３００ｎｍ未満の厚さまで、あるいは、約１００〜約３００ｎｍの厚さまで適用してよい。
【００７０】
ディスクの適正な機能のためには、均一なフッ素潤滑剤コーティングが望ましく、ディスク表面に異なる厚さのフッ素潤滑剤領域は望ましくない。同じサイズのディスクにより多くの情報が記憶されればされるほど、読み取り／書き込みヘッドは、適正に機能するためには、ディスクにますます近づいていかなければならない。コーティング厚さの不規則性がディスク表面の存在する場合には、ディスクにこれらの領域のあるヘッドの接触の可能性がはるかに大きくなる。ヘッド接触またはその他手段により除去される可能性のある領域に、十分なフッ素潤滑剤をディスク上に流す必要があるが、コーティングが厚すぎると、「汚れ」て、読み取り／書き込みヘッドが過剰のフッ素潤滑剤を拾ってしまうことに関連する問題を生じる可能性がある。
【００７１】
業界で観察されるある具体的なコーティング厚さの不規則性は、「ラビットイヤー」効果として知られたものである。これらの不規則性は、既存の溶媒系を用いてフッ素潤滑剤の堆積後、ディスク表面で目視により検出される。ディスクを、溶媒中フッ素潤滑剤の溶液と接触させ、溶液から取り出すと、溶液が堆積して流れない点になると、容易に流れ落ちない溶液の液滴が容易に形成される。液滴形成のかかる点は、マンドレルまたはその他支持装具とディスクの接触点（１点または複数の点）である。Ｖ形マンドレルを用いるときは、マンドレルがディスクの内側端部と接触する２つの接触点がある。フッ素潤滑剤の溶液が、浴から取り出したときに流れ落ちないこれらの位置で液滴を形成するときは、溶媒蒸発時にフッ素潤滑剤の厚い領域が形成される。ディスクとの２つの接触点で、「ラビットイヤー」効果として知られているものが得られる。フッ素潤滑剤の厚い領域が、ディスク表面で目視により検出可能なラビットイヤーに似たパターンを生成するからである。
【００７２】
ディップコーティングを、表面にフッ素潤滑剤を堆積するのに用いるとき、引き上げ速度（ディスクを浴から取り出す速度）、フッ素潤滑剤の密度および表面張力が、フッ素潤滑剤の得られるフィルム厚さを決めるのに関係している。所望のフィルム厚さを得るためのこれらのパラメータを把握する必要がある。これらのパラメータのコーティングに与える影響の詳細については、「Ｄｉｐ−Ｃｏａｔｉｎｇ  ｏｆ  Ｕｌｔｒａ−Ｔｈｉｎ  Ｌｉｑｕｉｄ  Ｌｕｂｒｉｃａｎｔ  ａｎｄ  ｉｔｓ  Ｃｏｎｔｒｏｌ  ｆｏｒ  Ｔｈｉｎ−Ｆｉｌｍ  Ｍａｇｎｅｔｉｃ  Ｈａｒｄ  Ｄｉｓｋｓ」、ＩＥＥＥ  Ｔｒａｎｓａｃｔｉｏｎｓ  ｏｎ  Ｍａｇｎｅｔｉｃｓ、ｖｏｌ．３１，ｎｏ．６，１９９５年１１月にある。
【実施例】
【００７３】
本明細書に記載した概念を、以下の実施例でさらに説明していく。それらは、請求項に記載された本発明の範囲を限定するものではない。概要または実施例に上述した動作の全てが必要ではないこと、特定の動作の一部が必要ない場合もあること、そして１つ以上のさらなる動作を、記載したものに加えて行うことができることを記しておく。さらに、動作を示した順番は、必ずしも、それらを行う順番ではない。
【００７４】
前述の明細書において、特定の実施形態を参照して、概念を説明してきた。しかしながら、当業者には、以下の請求項に規定された本発明の範囲から逸脱することなく、様々な修正および変更を行えることは明らかである。従って、明細書は、限定的な意味ではなく、例示とみなすべきであり、かかる修正は全て、本発明の範囲に含まれるものとする。
【００７５】
利点、その他長所および問題解決策を、特定の実施形態に関して上述してきた。しかしながら、利点、長所、問題解決策、および利点、長所または解決策のいずれかが生じる、またはより顕著となる任意の特徴は、いずれか、または全ての請求項の重要な、必要な、または必須の特徴と解釈されるべきでない。
【００７６】
特定の特徴は、明確にするために、個別の実施形態で記載された特定の特徴は、単一の実施形態の組み合わせで提供されてもよいものと考えるべきである。反対に、簡潔にするために、単一の実施形態で記載された様々な特徴も、個別に、または任意のサブコンビネーションで提供されてもよい。さらに、範囲で記した値の参照には、その範囲内のありとあらゆる値が含まれる。
【００７７】
実施例１−ＭＰＨＥとＭｅＯＨの混合物の相研究
ＭＰＨＥとＭｅＯＨから実質的になる組成物について相研究を行った。組成を変え、蒸気圧を５９．４５℃と９９．５５℃の両方で測定した。相研究からのデータに基づいて、他の温度および圧力での共沸組成を計算しておいた。表１に、指定した温度および圧力でのＭＰＨＥとＭｅＯＨについての実験と計算した共沸組成をまとめてある。
【００７８】
【表１】
2013538888.tif 000002
【００７９】
実施例２：ＭＰＨＥとＭｅＯＨの混合物についての露点および泡立ち点圧力
本明細書に開示した組成物の露点および泡立ち点圧力を、測定および計算された熱力学特性から計算した。近共沸範囲は、ＭＰＨＥの最小および最大濃度（モルパーセント、モル％）により示される。露点と泡立ち点圧力の差は、泡立ち点圧力を基準として３％以下である。結果を表２にまとめてある。
【００８０】
【表２】
2013538888.tif 000003
【００８１】
実施例３−液相組成
共沸組成物の液相は、表３に示すとおり、９０℃未満に冷やすと、異なる組成の２つの別個の相に分離する。２つの相の比およびそれらの組成は、温度の関数として変化する。表３は、液相「Ｌ１」の画分（「Ｌ２」である１．０までの収支）およびその温度でＬ１とＬ２の両方に存在するＭＰＨＥのモル分率を示す。
【００８２】
【表３】
2013538888.tif 000004
【００８３】
実施例４−ＭＰＨＥとメタノール共沸様混合物
沸点測定装置を用いて、ＭＰＨＥとメタノール混合物の共沸様範囲を求めた。装置は、熱電対を備えたフラスコ、加熱マントルおよび凝縮器からなっていた。フラスコのサイドネックにゴム隔壁を備えており、一成分をフラスコに添加することができる。最初、フラスコは１００％のメタノールを含有しており、還流するまで液体を徐々に加熱したところ、０．１℃に直近の沸点が記録された。ＭＰＨＥは、約１または２ｗｔ％の増分で、サイドネックを通してフラスコに添加された。ＭＰＨＥを添加する度に、フラスコの沸点を安定化させて記録した。約５０ｗｔ％のＭＰＨＥと５０ｗｔ％のメタノールの組成が存在するまで、ＭＰＨＥをフラスコのメタノール混合物に添加した。同様の実験をフラスコ中１００％ＨＰＨＥで開始し、メタノールを増分しながらフラスコに添加し、再び、５０％ＭＰＨＥと５０％メタノールとした。このようにして、０〜１００％のＭＰＨＥとメタノール混合物の沸点を得た。結果を表４に示す。
【００８４】
【表４】
2013538888.tif 000005
【００８５】
【表５】
2013538888.tif 000006
【００８６】
【表６】
2013538888.tif 000007
【００８７】
各純成分の沸点未満の沸点を有する組成物は、共沸様挙動の証拠と考えられた。ＭＰＨＥとメタノール混合物については、この共沸様範囲は、約２．３ｗｔ％のＭＰＨＥ〜約９５．５ｗｔ％のＭＰＨＥということが分かった。
【００８８】
実施例５−クリーニング剤としての使用
フッ素化流体と、２−プロパノール等のアルコールの共沸組成物が、クリーニング剤として有用なことが多い。アルコールは、油を溶解する能力を有するが、可燃性の可能性があるため、ある状況においては望ましくない。メタノールは可燃性である。フッ素化流体は不燃性であるが、炭化水素油を溶解しないであろう。２者の混合物が不燃性と判断されれば、それらは特に有用である。
【００８９】
約６０ｗｔ％のＭＰＨＥと４０％のメタノールの共沸組成物を調製する。
【００９０】
共沸混合物を用いて、後述の実施例に記載したとおり、部品から油を除去する。混合物は、ビーカー内で沸騰するまで加熱される。予め秤量しておいたアルミニウム片（約２インチ×３インチのサイズ）を、綿棒を用いて鉱油で覆う。片を再秤量し、沸騰した溶媒に５分間沈める。片を溶媒から取り出し、１分間空気乾燥させ、最後に秤量する。Ｄｏｗ  Ｃｏｒｎｉｎｇ２００シリコーン流体（１０，０００ｃＳｔ）を汚れとして用いて実験を繰り返す。除去された汚れの％を計算して、クリーニング有効性を明らかにする。表５に実験の結果を示す。
【００９１】
【表７】
2013538888.tif 000008
【００９２】
上に示すとおり、共沸混合物は、鉱油およびシリコーン流体を除去するのに非常に有効である。
【国際調査報告】
2013538888.tif 000009
2013538888.tif 000010